(57)【要約】【課題】複数の画像取り込みを行ったときに、表示スペースを削減しつつ、任意の画像を取り出しやすくした情報表示装置を提供する。【解決手段】この情報表示装置は、表示手段と、データを入力するデータ入力手段と、前記データ入力手段で入力されたデータの種別を判別するデータ種別判別手段と、前記入力されたデータの前記表示手段における表示位置を算出する表示位置算出手段と、前記入力されたデータを前記表示位置算出手段により算出された表示位置に表示するデータ取込制御手段と、を備え、前記データ取込制御手段は、前記データ入力手段により入力されたデータが複数で、且つ、前記データ種別判別手段該データにより、前記入力されたデータの種別が画像であると判別された場合には、前記表示位置算出手段により算出された表示位置に、前記入力されたデータを表示する。【選択図】図３
2009020830.tif 000002
【特許請求の範囲】
【請求項１】
表示手段と、画像データを入力するデータ入力手段と、前記データ入力手段により入力された画像データが複数の場合、該画像データの表示位置をずらして重ねて前記表示手段に表示するデータ取込制御手段と、を備えることを特徴とする情報表示装置。
【請求項２】
表示手段と、データを入力するデータ入力手段と、前記データ入力手段で入力されたデータの種別を判別するデータ種別判別手段と、前記入力されたデータの前記表示手段における表示位置を算出する表示位置算出手段と、前記入力されたデータを前記表示位置算出手段により算出された表示位置に表示するデータ取込制御手段と、を備え、前記データ取込制御手段は、前記データ入力手段により入力されたデータが複数で、且つ、前記データ種別判別手段該データにより、前記入力されたデータの種別が画像であると判別された場合には、前記表示位置算出手段により算出された表示位置に、前記入力されたデータを表示することを特徴とする情報表示装置。
【請求項３】
請求項１または２に記載の情報表示装置において、前記入力された画像の表示位置は、前記表示手段の表示領域の左上から右下へずらしながら重ね合わせることを特徴とする情報表示装置。
【請求項４】
請求項１乃至３のいずれかに記載の情報表示装置において、前記表示手段に表示される画像は、前記入力された画像を、縦方向の長さを規定の長さとなるように縮小した画像（サムネイル）であることを特徴とする情報表示装置。
【請求項５】
請求項２乃至４のいずれかに記載の情報表示装置において、前記データ取込制御手段は、前記データ種別判別手段で前記入力されたデータの種別が画像と判断されたときに、取込画像表示ウィンドウを別途作成し、前記入力された画像をずらしながら重ね合わせて該ウィンドウに表示することを特徴とする情報表示装置。
【請求項６】
請求項１乃至５のいずれかに記載の情報表示装置において、前記データ入力手段は、記憶媒体に記憶されたデータを読み取ることを特徴とする情報表示装置。
【請求項７】
請求項１乃至６のいずれかに記載の情報表示装置とスキャナ装置とを接続し、前記データ入力手段は、前記スキャナ装置から画像データを入力することを特徴とする表示システム。
【請求項８】
データを入力するデータ入力ステップと、前記データ入力ステップで入力されたデータの種別を判別するデータ種別判別ステップと、前記入力されたデータの表示位置を、表示領域の左上から右下へずらしながら重ね合わせて算出する表示位置算出ステップと、前記入力されたデータを前記表示位置算出ステップにより算出された表示位置に表示するデータ取込制御ステップと、を備え、前記データ取込制御ステップは、前記データ入力ステップにより入力されたデータが複数で、且つ、前記データ種別判別ステップにより、前記入力されたデータの種別が画像であると判別された場合には、前記表示位置算出ステップにより、前記入力されたデータの表示位置を算出してから、前記表示手段に表示することを特徴とする情報表示方法。
【発明の詳細な説明】
【技術分野】
【０００１】
本発明は、情報表示装置、情報表示システムおよび情報表示方法に関し、特に、大型表示画面を利用して情報表示する技術に関する。
【背景技術】
【０００２】
従来、ホワイトボードには、マーカーペンなどの筆記手段によりホワイトボード上に書き込まれた議事内容（イメージ情報）を光学的に走査して、得られたイメージ情報を感熱紙に印刷する印刷手段が備えられており、この印刷手段を用いて、会議終了後にホワイトボード上に書き込まれた議事内容（イメージ情報）を感熱紙に印刷し、さらに会議参加者への配布のためにそのコピーを配布したりしている。
【０００３】
また、従来のホワイトボードを利用した会議において、印刷された議事内容を報告書作成に再利用するためには、会議終了後、新たにワードプロセッサなどを用いて電子化する作業が必要である。
【０００４】
上記の問題点を解決するため、例えば、タッチペンのような入力手段を用いて大型ディスプレイ上に議事内容を自由な書式で直接的に書き込み、これらの議事内容を全て電子化することにより、会議終了後の文書管理、参加者への配布、そして内容の加工などが簡単に実行できる電子会議システムが提案されている（特許文献１）。
【０００５】
また、そのような電子会議システムにおいて、会議中に使用する資料を予め電子データとして作成しておき、ＰＣ（パーソナルコンピュータ）を介して大型ディスプレイに直接表示させる方法も提案されている（特許文献２）。
【０００６】
また、一般に、スキャナ装置により複数ページの画像データを読み取った場合には、何が読み取られたのかを示すために、読み取られた複数ページの画像データを一覧表示させるようにしている（特許文献３）。
【特許文献１】特開２０００−５６７４７号公報
【特許文献２】特開２００３−１６０８８号公報
【特許文献３】特開２００６−２７０２００号公報
【発明の開示】
【発明が解決しようとする課題】
【０００７】
しかしながら、特許文献３のように、複数の画像データのサムネイルを一覧表示してしまうと、データ数が多いときには、１つの画面には収まり切らず、全体のデータを把握するには、スクロール等によってどのような画像データが読み取られたかを見なければならない。
したがって、このような大量の画像データの中から、所望の画像データを選択する作業が非効率となっていた。
【０００８】
本発明は、上述の実情を考慮してなされたものであって、複数の画像取り込みを行ったときに、表示スペースを削減しつつ、任意の画像を取り出しやすくした情報表示装置、表示システムおよび情報表示方法を提供することを目的とする。
【課題を解決するための手段】
【０００９】
上記の課題を解決するために、本発明の情報表示装置は、表示手段と、データを入力するデータ入力手段と、前記データ入力手段で入力されたデータの種別を判別するデータ種別判別手段と、前記入力されたデータの前記表示手段における表示位置を算出する表示位置算出手段と、前記入力されたデータを前記表示位置算出手段により算出された表示位置に表示するデータ取込制御手段と、を備え、前記データ取込制御手段は、前記データ入力手段により入力されたデータが複数で、且つ、前記データ種別判別手段該データにより、前記入力されたデータの種別が画像であると判別された場合には、前記表示位置算出手段により算出された表示位置に、前記入力されたデータを表示するものである。
【００１０】
前記入力された画像を、縦方向の長さを規定の長さとなるように縮小した画像（サムネイル）とし、この画像の表示位置を、前記表示手段の表示領域の左上から右下へずらしながら重ね合わせるようにして算出する。
【００１１】
さらに、前記データ取込制御手段は、前記データ種別判別手段で前記入力されたデータの種別が画像と判断されたときに、取込画像表示ウィンドウを別途作成し、前記入力された画像をずらしながら重ね合わせて該ウィンドウに表示するものとしても良い。
【００１２】
尚、前記データ入力手段は、スキャナ装置、カメラ、ビデオカメラ、携帯電話、記憶媒体等で構成したデータ入力装置に記憶されている電子データ、あるいは、原稿を読み取るようにしても良い。
【００１３】
また、上述した構成の情報表示装置の各手段（データ取込制御手段、データ入力手段、表示モード判別手段、データ種別判別手段、表示位置算出手段）として、コンピュータを機能させるためのプログラムを作成しておき、または、そのプログラムをコンピュータ読み取り可能な記録媒体に記録しておき、このプログラムをコンピュータで実行することによっても上記課題を解決することができる。
【発明の効果】
【００１４】
本発明によれば、取り込んだ複数画像をずらして表示することにより、表示スペースを抑えることができ、なおかつ、目的の画像に直感的にアクセスすることができる。
また、別ウィンドウで表示して、この別ウィンドウへ取り込んだ複数の画像をずらして表示することにより、本来の表示エリアを使うことがなくなり、且つ、表示スペースを抑えることができる。
【発明を実施するための最良の形態】
【００１５】
以下、図面を参照して本発明に係る好適な実施形態について説明する。
【００１６】
本発明は、表示装置と情報処理装置とで構成される情報表示装置に関し、この情報表示装置では、外部から取り込んだ画像ファイルなどのデータを、仮想的なホワイトボードとして使用可能なタッチパネル付大型表示画面に表示し、参加者がペン入力で追記・編集を行いながら会議する会議支援システムが動作可能であるとする。
【００１７】
まず、図１を用いて、本発明の概念を説明する。
スキャナ機能付の複合機１０１から複数の画像が送信された場合、送られてきた各画像１０３（あるいは、各画像のサムネイル）を、大型表示画面１０２の一部にずらしながら重ねて表示する。
【００１８】
このため、大型表示画面１０２の表示領域を占有しないので、会議を続けつつ、画像を参照することが可能となる。
また、ずれて表示されている画像１０３（例えば、２枚目）を選択することにより、複数の画像から任意の画像を選択して操作することも可能となるため、ユーザの操作効率が向上する。
【００１９】
例えば、表示モードとして、入力された電子データをフォルダに保存させるための入力画面である入力モードと、会議用の仮想的なホワイトボートとして利用可能なホワイトボードモードとをもった会議支援システムにおいて、入力モードの表示画面が表示されているときに、複数の電子データを入力された場合、その内容をホワイトボードの一部にずらしつつ重ねて表示することで、会議の妨げとなることなく、画像の取捨選択を行うことが可能となる。
【００２０】
図２は、情報表示装置の構成を表すブロック図であり、同図において、情報表示装置２００は、タッチパネル付表示装置２１０、入力手段２２０、情報処理装置２３０およびデータ入力装置２４０とからなっている。情報表示装置２００においては、タッチパネル付表示装置２１０と情報処理装置２３０とは、別装置で構成しても、一体型の装置であっても構わない。
【００２１】
タッチパネル付表示装置２１０は、タッチパネル付きの大型液晶ディスプレイ等からなる表示手段２１１、入力手段２２０によるタッチパネルへの接触状況を監視する接触監視手段２１２とからなっている。
表示手段２１１は、情報処理装置２３０からインタフェース（図示しない）を介して受信した画像データ等を大型表示画面に表示する。
接触監視手段２１２は、入力手段２２０によるタッチパネルへの接触とその接触位置等を監視し、インタフェース（図示しない）を介して、監視結果（接触状況と接触位置等）を情報処理装置２３０へ送信する。
入力手段２２０は、電子ペン等のポインティングデバイスであり、タッチパネルに接触可能なものであれば、人間の指やペンや棒等であっても構わない。
【００２２】
情報処理装置２３０は、当該装置２３０の全体を制御する主制御手段２３１、記憶手段２３２、画像生成手段２３３、インタフェース手段２３４から構成されている。
主制御手段２３１は、当該装置２３０の全体を制御するとともに、接触監視手段２１２から送られてきた監視結果を受け取り、接触位置に描画する命令を画像生成手段２３３に送る、あるいは、接触位置でのポインティング動作を会議支援システムに行わせる。
【００２３】
記憶手段２３２は、例えば、ＲＡＭ（Random Access Memory）やＲＯＭ（Read Only Memory）、ＨＤＤ（Hard Disk Drive）などで構成され、主制御手段２３１で実行される制御プログラム、各種アプリケーションプログラムやデータを格納したり、制御プログラムや各種アプリケーションプログラムが実行時に一時的にデータを格納する。
【００２４】
画像生成手段２３３は、主制御手段２３１から受け取った描画命令により、表示画像を生成し、インタフェース（図示しない）を介して表示手段２１１へ送られて、大型表示画面に描画結果が表示される。
【００２５】
インタフェース手段２３４は、データ入力装置２４０と情報処理装置２３０とを接続するためのインタフェースである。例えば、データ入力装置２４０は、スキャナ、携帯電話、カメラ、ビデオカメラ、ＰＤＡ（Personal Digital Assistant）、ＰＣ（Personal Computer）、フラッシュメモリ等の外部記憶装置のいずれであっても構わず、その接続方法も、ＵＳＢ（Universal Serial Bus）接続、短距離無線通信（赤外線通信、Ｂｌｕｅｔｏｏｔｈ（登録商標）、Ｚｉｇｂｅｅ等）、シリアル接続、ネットワーク接続等のいずれであっても構わない。
【００２６】
データ入力装置２４０がインタフェース手段２３４を介して情報処理装置２３０に接続されると、接続イベントが主制御手段２３１に送られる。
【００２７】
図３は、本実施形態に係る情報処理装置２３０の機能構成を示すブロック図である。同図において、情報処理装置２３０は、データ取込制御手段３１０、データ入力手段３２０、表示モード判別手段３３０、データ種別判別手段３４０、データ蓄積手段３５０、表示位置算出手段３６０、データ転送手段３７０を含んで構成される。これらの手段は、プログラムで構成され、記憶手段２３２からＲＡＭのようなメモリにロードされて主制御手段２３１のＣＰＵ（Central Processing Unit）によって実行されて、その機能を達成する。
【００２８】
データ取込制御手段３１０は、主制御手段２３１からデータ入力装置２４０が接続したというイベントを受け取ると、接続されたデータ入力装置２４０の種類に応じたデータ入力手段３２０を起動する。
【００２９】
データ入力手段３２０は、インタフェース手段２３４を介して、データ入力装置２４０からデータを受信し、特定名あるいは日時情報による名前のフォルダ（作業フォルダ）を記憶手段２３２に生成する。この作業フォルダに取り込んだデータを日時情報と順番号によるファイル名で記録する。
ここで、データ入力手段３２０は、データ入力装置２４０から取り込まれるデータの場所が一意に定まらないときには、データ指示ダイアログを表示させて、ユーザにデータの場所を指定させる。
【００３０】
データ取込制御手段３１０は、データ入力手段３２０によってデータの取り込みが完了すると、表示モード判別手段３３０を起動して、会議支援システムにおける表示モードの区別を取得する。
表示モード判別手段３３０は、会議支援システムに問い合わせて得た表示モードの区別をデータ取込制御手段３１０に戻す。
【００３１】
ここで、会議支援システムの表示モードは、図４に示すように次の３種類がある。
（Ａ）ホワイトボードモード：
このホワイトボードモードは、表示手段２１１上に擬似的なホワイトボード環境を作り出し、入力手段２２０により、通常の会議などと同様に手書きで文字を書き込んだり、図形や直線を書き込んだり、参考資料として画像ファイルを取り込んだり、といった用途に用いる。
【００３２】
（Ｂ）透明ボードモード（基本モード）：
透明ボードモードは、表示手段２１１上にアプリケーションのデータをそのまま表示させ、その上に共通の理解を促進するための書き込みなどを入力手段２２０により行うといった用途に用いる。
【００３３】
（Ｃ）ボードＯＦＦモード：
ボードＯＦＦモードは、表示手段２１１上に手書きなどを行わずアプリケーションを操作する用途に用いる。
上記の透明ボードモードおよびボードＯＦＦモードを合わせて、入力モードと呼ぶことがある。
【００３４】
次に、データ取込制御手段３１０は、表示モード判別手段３３０から取得した表示モードの区別が入力モードの場合、もしくは、表示モードはホワイトボードモードであるが、取り込んだデータが画像データでない（テキストデータ等）場合は、データ蓄積手段３５０を起動して、次の接続イベント待ちとなる。
【００３５】
データ蓄積手段３５０は、図８に示すように、外部メディア（赤外線・リムーバブルディスクなど）のようなデータ入力装置２４０から入力されたデータを保存するための保存ダイアログ２６１を表示して、ユーザの入力手段２２０の操作により、取り込んだデータの保存先と保存実行を指定させる。しかし、この場合、取り込んだデータは、会議支援システムには取り込まれない。
【００３６】
このように、表示モードが入力モードの場合、もしくは、表示モードはホワイトボードモードであるが、取り込んだデータが画像データでない（テキストデータ等）場合は、入力されたデータを保存する操作画面が表示されるので、ユーザがわざわざそのための操作を行う手間が省ける。尚、作業フォルダを保存先のフォルダとすると、このような保存ダイアログを表示させずに済ますことができる。
【００３７】
また、データ取込制御手段３１０は、表示モード判別手段３３０から取得した表示モードの区別がホワイトボードモードであった場合、データ種別判別手段３４０を起動して、入力されたデータの種別を取得する。
【００３８】
データ種別判別手段３４０は、記憶手段２３２に生成された作業フォルダの下に記憶されているデータの種別を公知の技術によって取得する。
例えば、データが静止画、動画、図形等の場合には画像データとし、ワードプロセッサやテキストエディタで作成された文書データの場合にはテキストデータとし、画像データやテキストデータ以外はその他のデータとする。
【００３９】
データ取込制御手段３１０は、データ種別判別手段３４０により取得したデータの種別が画像データである場合についてのみ、取り込まれた画像データの表示位置を表示位置算定手段３６０により算定し、データ転送手段３７０により、この位置表示に表示される画像オブジェクトとして、ホワイトボード画面上で編集可能な形で会議支援システム内に受け渡す。
【００４０】
表示位置算定手段３６０は、次のようにして算定し、各画像オブジェクトに対して、表示位置、同一の大きさのサムネイルとするための縮小率が決定され、データ転送時には画像オブジェクトのオブジェクト情報として送られる。
【００４１】
（１）取り込まれた画像データが１画像であった場合：
このときの表示位置は、予め設定された規定位置とする。これにより、取り込まれた画像データは、会議支援システムにおいて、図５（Ｂ）の画像データ２５１のような規定位置に表示される。
【００４２】
（２）取り込まれた画像データが複数画像であった場合：
以下に説明するように、各画像の表示位置を計算する。これにより、取り込まれた複数の画像データは、会議支援システムにおいて、図５（Ｃ）の画像データ２５２のような位置に表示される。
【００４３】
図６は、各画像の表示位置の算出方法を説明する図である。
１つの画像から２つ目の画像を表示するときのずらす規定サイズをＸ方向（表示領域の右方向）に x、Ｙ方向（表示領域の下方向）に yとする。また、１つ目の画像の表示位置を表示領域の左上隅Ｐから規定サイズはなれた点Ｐ１とする。従って、１枚目の画像の表示位置は点Ｐ１である。
i番目の画像の表示位置は（x×i, y×i）となるが、表示画像の右端が表示領域の横幅の中心線を超えたとき、即ち、画像の横幅をw、表示領域の横幅の１／２をＬとして、（y×i＋w ＞Ｌ）となった画像の表示位置を折り返す。
折り返したときの最初の画像の表示位置は、折り返した回数をｎとしたときに、（x×ｎ, y）となる。
そして、折り返しても画像の表示位置が計算できないときには、表示領域を複数シート設けて、各シートに対して、上記の表示位置を算出する。
【００４４】
また、各画像は、ずらした画像の方が上に重なるようにして表示されるようにする。
しかし、各画像の大きさはまちまちであるから、大きさの比率を保ったままリサイズしたとしても、ある画像が折り返された画像によって隠されてしまうことがある。
【００４５】
そこで、各画像を同一の大きさのサムネイルとなる縮小率を算出し、そのサムネイルを用いてずらして表示するようにすれば、各画像のどこか一部は見えるようになるので、目的の画像に直感的にアクセスすることができる。従って、大量の画像データの中から、所望の画像データを選択する作業が非効率となる。
【００４６】
図７を用いて、各画像の表示位置を説明する。
１つ目の画像は、表示領域の左上隅Ｐから規定サイズ分右下にずらした位置（ｘ,y）を画像の左上端Ｐ１の位置とする。２つ目の画像は、１つ目の画像の左上端から規定サイズ分右下にずらした位置（2x,2y）を画像の左上端Ｐ２の位置とする。この操作を画像の数分繰り返して、各画像の表示位置を決定する。
そして、表示する画像の右端が表示領域幅の中心を超えた場合、表示位置を折り返し、位置（3x,y）を画像の左上端Ｐ７の位置として、以下、前述と同じように右下方向にずらして重ね合わせる。
【００４７】
次に、図９のフローチャートを用いて、データの入力時の動作について説明する。
主制御手段２３１が、データ入力装置２４０（スキャナ装置や赤外線受信や外部メディア挿入時）の接続イベントを確認すると、接続イベントがデータ取込制御手段３１０に渡され（ステップＳ１／ＹＥＳ）、データ取込制御手段３１０はデータ入力手段３２０を起動して、データ入力装置２４０からデータを取り込んで、記憶手段２３２に記憶する（ステップＳ２）。
例えば、図８（Ａ）のように、ユーザは、入力したい原稿をデータ入力装置２４０（スキャナ装置）にセットすると、記憶手段２３２の作業フォルダを生成して、その下に読み取られた原稿の画像データが記憶される。
【００４８】
データ取込制御手段３１０は、データの入力が完了すると、表示モード判別手段３３０により、現在の表示モードを確認し、ホワイトボードモードの場合（ステップＳ３／「ホワイトボードモード」）、さらに、データ種別判別手段３４０により、記憶手段２３２に取り込んだデータが画像データであると判別された場合（ステップＳ４／ＹＥＳ）、
取り込んだ画像が１画像か否かを判断する（ステップＳ５）。
【００４９】
複数画像データの取り込みであった場合（ステップＳ５／ＮＯ）、表示位置算定手段３６０により、各画像の表示位置を計算し（ステップＳ６）、データ転送手段３７０により画像オブジェクトとして、取り込まれた画像データを会議支援システム内に取り込ませ（ステップＳ７）、次の接続イベント処理のためにステップＳ１へ戻る。
これにより、取り込まれた複数の画像データは、会議支援システムにおいて、図５（Ｃ）の画像データ２５２のように表示される。この場合、取り込んだ画像データは適切なサイズにリサイズされ、ホワイトボード画面上に編集可能な形で取り込まれる。
【００５０】
一方、取り込まれた画像データが１画像のみであった場合（ステップＳ５／ＹＥＳ）、
取り込まれた画像が規定の位置に表示される画像オブジェクトとして、適切なサイズにリサイズして、データ転送手段３７０により会議支援システム内に取り込ませ（ステップＳ７）、次の接続イベント処理のためにステップＳ１へ戻る。
これにより、取り込まれた１つの画像データは、会議支援システムにおいて、図５（Ｂ）の画像データ２５１のように規定位置に表示される。
【００５１】
また、会議支援システムの表示モードが入力モードの場合、もしくは、表示モードはホワイトボードモードであるが、取り込んだデータが画像でないデータ（テキストデータ等）であった場合は（ステップＳ３／「入力モード」，Ｓ４／ＮＯ）、図８（Ｂ）のように入力したデータの保存ダイアログを表示し（ステップＳ８)、次の接続イベント処理のためにステップＳ１へ戻る。
【００５２】
上記の実施形態では、入力されたデータが画像の場合、会議支援システム内の現在使用中の画面の一部に、入力された画像を表示するようにしていたが、ウィンドウを別途作成し、そのウィンドウの中に直接複数画像をずらして表示するようにしてもよい。
【００５３】
以上のように、本実施形態を構成することにより、会議中に読み取った画像データを重ね合わせて表示させることで、表示スペースが削減され、会議中の表示データの妨げになることなく、会議の進行状況に応じて必要な画像データを容易に取り込むことが可能になる。
【００５４】
尚、本発明は上述した実施形態に限定されず、本発明の要旨を逸脱しない範囲内で各種の変形、修正が可能であるのは勿論である。例えば、上述した実施形態を構成する情報処理装置の各手段（データ取込制御手段、データ入力手段、表示モード判別手段、データ種別判別手段、データ蓄積手段、表示位置算出手段、データ転送手段）として、コンピュータを機能させるプログラムを作成し、予め記録媒体に書き込んでおき、この記録媒体に記録されたこれらのプログラムを当該装置に備えられたメモリあるいは記憶装置に格納し、そのプログラムを実行することによって、本発明の目的が達成されることは言うまでもない。この場合、記録媒体から読み出されたプログラム自体が上述した実施形態の機能を実現することになり、そのプログラムおよびそのプログラムを記録した記録媒体も本発明を構成することになる。
【００５５】
また、上記プログラムは、そのプログラムの指示に基づき、オペレーティングシステムあるいは他のアプリケーションプログラム等と共同して処理することによって上述した実施形態の機能が実現される場合も含まれる。
【００５６】
なお、上述した実施形態の機能を実現するプログラムは、ディスク系（例えば、磁気ディスク、光ディスク等）、カード系（例えば、メモリカード、光カード等）、半導体メモリ系（例えば、ＲＯＭ、不揮発性メモリ等）、テープ系（例えば、磁気テープ、カセットテープ等）等のいずれの形態の記録媒体で提供されてもよい。あるいは、ネットワークを介して記憶装置に格納された上記プログラムをサーバコンピュータから直接供給を受けるようにしてもよい。この場合、このサーバコンピュータの記憶装置も本発明の記録媒体に含まれる。
このように、上述した実施形態の機能をプログラム化して流通させることによって、コストの低廉化、および可搬性や汎用性を向上させることができる。
【図面の簡単な説明】
【００５７】
【図１】本発明の概念を説明する図である。
【図２】情報表示装置の構成を表すブロック図である。
【図３】実施形態に係る情報処理装置の機能構成を示すブロック図である。
【図４】会議支援システムのモードの違いを説明した図である。
【図５】会議支援システムがホワイトボードモードの際のデータ入力について説明した図である。
【図６】取り込まれた画像の表示位置の算出方法を説明する図である。
【図７】取り込まれた画像の表示例を示す図である。
【図８】会議支援システムがホワイトボードモード以外の際のデータ入力について説明した図である。
【図９】画像の取り込み時の動作について説明するフローチャートである。
【符号の説明】
【００５８】
１０１…複合機、１０２…大型表示画面、１０３…画像、２００…情報表示装置、２１０…タッチパネル付表示装置、２１１…表示手段、２１２…接触監視手段、２２０…入力手段、２３０…情報処理装置、２３１…主制御手段、２３２…記憶手段、２３３…画像生成手段、２３４…インタフェース手段、２４０…データ入力装置、２５１，２５２…画像データ、２６１…保存ダイアログ、３１０…データ取込制御手段、３２０…データ入力手段、３３０…表示モード判別手段、３４０…データ種別判別手段、３５０…データ蓄積手段、３６０…表示位置算出手段、３７０…データ転送手段。
【図１】
2009020830.tif 000003
【図２】
2009020830.tif 000004
【図３】
2009020830.tif 000005
【図４】
2009020830.tif 000006
【図５】
2009020830.tif 000007
【図６】
2009020830.tif 000008
【図７】
2009020830.tif 000009
【図８】
2009020830.tif 000010
【図９】
2009020830.tif 000011